(57)【要約】【課題】  画像表示に使われない領域の有効利用を図ることができ、汎用性の向上と高輝度での表示を可能にした表示パネル、表示装置、および移動体の表示モジュールを提供する。【解決手段】  有機ＥＬパネル２は、複数の画素がマトリクス状に配置された発光エリア８と画素が配置されない非発光エリア９とを含む。発光エリア８は、画像表示に用いられる実表示領域８ａと実表示領域以外の領域８ｂとを有する。実表示領域以外の領域８ｂ内に、３つの発光ダイオード５１，５２，５４と、一つのエリアカラーパネル５３の４つの発光体が配置されている。画像表示に使われない実表示領域以外の領域８ｂを有効に利用して、４つの発光体により、ウィンカ表示をさせたり、各種の警告を知らせるランプの点灯やインジケータの画像表示をさせることができる。【選択図】      図２
2006267557.tif 000002
【特許請求の範囲】
【請求項１】
複数の画素がマトリクス状に配置された発光エリアと前記画素が配置されない非発光エリアとを含み、各画素の電気光学素子を駆動して画像を表示する表示パネルにおいて、
前記発光エリアは、画像表示に用いられる実表示領域と、実表示領域以外の領域とを有し、
前記実表示領域以外の領域と前記非発光エリアとの少なくとも一方に配置された少なくとも一つの発光体を備えることを特徴とする表示パネル。
【請求項２】
請求項１に記載の表示パネルにおいて、
前記少なくとも一つのセンサは発光ダイオードであることを特徴とする表示パネル。
【請求項３】
請求項１に記載の表示パネルにおいて、
前記少なくとも一つの発光体はエリアカラーパネルであることを特徴とする表示パネル。
【請求項４】
請求項３に記載の表示パネルにおいて、
前記エリアカラーパネルはエレクトロルミネッセンスパネルであることを特徴とする表示パネル。
【請求項５】
請求項１〜４のいずれか一つに記載の表示パネルにおいて、
前記表示パネルは、前記電気光学素子としてエレクトロルミネッセンス素子が前記各画素に設けられたエレクトロルミネッセンスパネルであることを特徴とする表示パネル。
【請求項６】
請求項２に記載の表示パネルを用いた表示装置において、
前記表示パネルのパネル表面に取り付けられ、前記実表示領域に対応する部分に第１の開口部が設けられたパネルカバーを備え、
前記パネルカバーには、前記パネル表面の、前記実表示領域以外の領域と前記非発光エリアとを含む領域内に設けられた前記発光ダイオードからの光を外部へ導く少なくとも一つの第２の開口部が設けられており、該第２の開口部内に前記発光ダイオードが収容されていることを特徴とする表示装置。
【請求項７】
請求項３〜５のいずれか一つに記載の表示パネルを用いた表示装置において、
前記表示パネルのパネル表面に取り付けられ、前記実表示領域に対応する部分に第１の開口部が設けられたパネルカバーを備え、
前記パネルカバーには、前記パネル表面の、前記実表示領域以外の領域と前記非発光エリアとを含む領域内に設けられた前記エリアカラーパネルからの光を外部へ導く少なくとも一つの第３の開口部が設けられており、該第３の開口部内に前記エリアカラーパネルが収容されていることを特徴とする表示装置。
【請求項８】
請求項１〜５のいずれか一つに記載の表示パネルを複数個並べて配置し、該複数個の表示パネルで異なる画像を表示させるように構成したことを特徴とする移動体の表示モジュール。
【請求項９】
請求項１〜５のいずれか一つに記載の表示パネルを備え、前記表示パネルの発光エリア内の複数の実表示領域で異なる画像を表示させるように構成したことを特徴とする移動体の表示モジュール。
【発明の詳細な説明】
【技術分野】
【０００１】
本発明は、自動車等の車両、航空機、船舶、電車等の移動体に搭載され、移動体の速度、エンジン回転数等を画像表示する有機ＥＬパネル等の表示パネル、表示装置、および移動体の表示モジューに関する。
【背景技術】
【０００２】
従来、自動車等の車両のインストルメントパネルに搭載され、スピードメータ等を表示する装置で、発光ダイオード（ＬＥＤ）を用いた車両用コンビネーションメータが知られている（例えば、特許文献１参照）。この車両用コンビネーションメータはケーシングと文字板と指針と見返し板と黒色透明カバーなどを備えている。見返し板は指針の基端部と相対する基端部保護部を一体に備えている。この基端部保護部に指針に光を入射する指針用ＬＥＤが取り付けられている。
【０００３】
また、車両のインストルメントパネルに搭載される車両用情報表示装置として、液晶ディスプレイ装置によって構成される一つの画面（マルチディスプレイ装置）内に、複数の表示をさせるようにしたものが知られている（特許文献２参照）。このような車両用情報表示装置では、表示パネルとして一つの液晶パネルを使っている。
【０００４】
また、従来、発光装置として、画素に複数の発光素子を有し、これらの発光素子は互いに逆の方向に発光するものであって、且つ一方の発光素子には画素駆動素子が設けられているものが知られている（例えば、特許文献３参照）。この従来技術では、画素内に設けられた複数の発光素子において、一方の発光素子はアクティブマトリクス駆動方式の発光素子であって、他方の発光素子はパッシブマトリクス駆動方式の発光素子又はエリアカラー用の発光素子である。この構造により、一つの表示装置で表裏に独立して発光することが可能である。
【特許文献１】特開２００１−２１３８８号公報
【特許文献２】特開２００４−２９１７３１号公報
【特許文献３】特開２００５−０３８８３８号公報
【発明の開示】
【発明が解決しようとする課題】
【０００５】
ところで、上記特許文献２に記載されているような従来の車両用情報表示装置では、一つの液晶パネル内に複数の表示をさせる構成であるため、次のような問題がある。
その表示装置を車両のインストルメントパネルに搭載してスピードメータ等のメータを画像表示させる場合、液晶パネルの発光エリアには、実際の画像表示に使用される実表示領域（メータ等を画像表示する円形の表示部）と、画像表示に使用されない実表示領域以外の領域とができ、その実表示領域以外の領域が有効に利用されていない。
【０００６】
本発明は、このような従来の問題点に着目してなされたもので、その目的は、画像表示に使われない領域（未使用部分）の有効利用を図ることができ、汎用性の向上と高輝度での表示を可能にした表示パネル、表示装置、および移動体の表示モジュールを提供することにある。
【課題を解決するための手段】
【０００７】
本発明における表示パネルは、複数の画素がマトリクス状に配置された発光エリアと前記画素が配置されない非発光エリアとを含み、各画素の電気光学素子を駆動して画像を表示する表示パネルにおいて、前記発光エリアは、画像表示に用いられる実表示領域と、実
表示領域以外の領域とを有し、前記実表示領域以外の領域と前記非発光エリアとの少なくとも一方に配置された少なくとも一つの発光体を備えることを要旨とする。
【０００８】
これによれば、発光エリア内の実表示領域以外の領域と非発光エリアの少なくとも一方に少なくとも一つの発光体を配置しているので、画像表示に使われない領域（表示パネルの未使用部分）を有効に利用して、その発光体により、ウィンカ表示をさせたり、各種の警告を知らせるランプの点灯やインジケータの表示をさせることができる。例えば、自動車等の車両に搭載する場合、その発光体により、各種のランプを点灯或いは点滅させたり、シートベルトの未装着を知らせる表示をさせたりすることができる。また、表示パネルの画像表示に使われない領域に発光体を配置すればよいので、表示デザインの変更、例えば発光体（例えばランプ）の位置や数、発光体による表示態様等の変更に容易に対応することができ、汎用性の高い表示パネルが得られる。また、要求される輝度に応じた発光体を選べるので、高輝度での表示要求にも対応できる。したがって、画像表示に使われない領域を有効に利用することができ、汎用性の向上と高輝度での表示を実現することができる。
【０００９】
ここで、「電気光学素子」とは、電気的な作用により光学特性が変化する素子の意であり、例えば、液晶、エレクトロルミネッセンス素子である有機ＥＬ素子等を含む。また、「非発光エリア」は、発光エリアの外側の額縁と呼ばれる領域である。
【００１０】
この表示パネルにおいて、前記少なくとも一つのセンサは発光ダイオードであることを要旨とする。これによれば、発光ダイオードにより、発光エリア内の実表示領域以外の領域或いは非発光エリアを有効に利用して、実表示領域とは異なる各種の表示やランプの点灯等を行うことができる。例えば、表示パネルを自動車等の車両のインストルメントパネルに搭載して実表示領域でスピードメータやタコメータ等を画像表示する場合、発光エリア内には画像表示に使用されない実表示領域以外の領域ができるので、この実表示領域以外の領域を有効に利用して各種の表示部を配置できる。
【００１１】
また、発光ダイオードにより、ウィンカ表示のための左右の方向指示部を点滅させたり、各種の警告を知らせるランプを点灯或いは点滅させたり、各種インジケータの表示をさせることができる。また、複数の画素の電気光学素子を共通の電源で同じように駆動するアクティブマトリクス駆動方式の表示パネルでは、発光エリア内のある部分だけピーク輝度を変える制御は難しい。このため、表示パネルの発光エリア内にスピードメータ等の画像以外に、ウィンカ表示のための方向指示部や各種インジケータの表示をさせる場合には、スピードメータ等の画像以外の表示は限られた輝度範囲でしか表示できない。これに対して、本発明によれば、必要な輝度で発光する発光ダイオードを表示パネルの実表示領域以外の領域或いは非発光エリア内に配置するだけでよいので、高輝度での表示が要求されるインジケータ等の表示にも容易に対応することができ、汎用性の高い表示パネルを実現することができる。
【００１２】
この表示パネルにおいて、前記少なくとも一つの発光体はエリアカラーパネルであることを要旨とする。これによれば、エリアカラーパネルにより、各種の警告を知らせる固定の表示、例えばシートベルトの未装着を知らせる固定の画像を表示させることができる。このエリアカラーパネルは、表示パネルの未使用表示エリア内に配置するだけで良く、表示パネルと同じ基板に作り込む必要がないので、この点でも汎用性の高い表示パネルを実現することができる。
【００１３】
この表示パネルにおいて、前記エリアカラーパネルはエレクトロルミネッセンスパネルであることを要旨とする。これによれば、エレクトロルミネッセンスパネルで構成したエリアカラーパネルにより、各種の警告を知らせる固定の表示、例えばシートベルトの未装
着を知らせる固定の画像を表示させることができる。
【００１４】
この表示パネルにおいて、前記表示パネルは、前記電気光学素子としてエレクトロルミネッセンス素子が前記各画素に設けられたエレクトロルミネッセンスパネルであることを要旨とする。これによれば、画像表示に使われない発光エリア内の実表示領域以外の領域を有効に利用することができ、汎用性が高く、高輝度での表示が可能なエレクトロルミネッセンスパネルを実現することができる。
【００１５】
本発明における表示装置は、上記表示パネルを用いた表示装置において、前記表示パネルのパネル表面に取り付けられ、前記実表示領域に対応する部分に第１の開口部が設けられたパネルカバーを備え、前記パネルカバーには、前記パネル表面の、前記実表示領域以外の領域と前記非発光エリアとを含む領域内に設けられた前記発光ダイオードからの光を外部へ導く少なくとも一つの第２の開口部が設けられており、該第２の開口部内に前記発光ダイオードが収容されていることを要旨とする。
【００１６】
これによれば、画像表示に使われない領域を有効に利用することができ、汎用性が高く、高輝度での表示が可能な表示装置を実現することができる。また、発光ダイオードにより、ウィンカ表示のための左右の方向指示部を点滅させたり、各種の警告を知らせるランプを点灯或いは点滅させたり、各種インジケータの表示をさせることができる。また、高輝度での表示が要求されるインジケータ等の表示にも容易に対応することができ、汎用性の高い表示装置を実現することができる。また、表示パネルのパネル表面に取り付けられるパネルカバーの一部を利用して発光ダイオードを配置することができる。
【００１７】
本発明における表示装置は、上記表示パネルを用いた表示装置において、前記表示パネルのパネル表面に取り付けられ、前記実表示領域に対応する部分に第１の開口部が設けられたパネルカバーを備え、前記パネルカバーには、前記パネル表面の、前記実表示領域以外の領域と前記非発光エリアとを含む領域内に設けられた前記エリアカラーパネルからの光を外部へ導く少なくとも一つの第３の開口部が設けられており、該第３の開口部内に前記エリアカラーパネルが収容されていることを要旨とする。
【００１８】
これによれば、画像表示に使われない領域を有効に利用することができ、汎用性が高く、高輝度での表示が可能な表示装置を実現することができる。また、エリアカラーパネルにより、各種の警告を知らせる固定の表示、例えばシートベルトの未装着を知らせる固定の画像を表示させることができる。また、汎用性の高い表示装置を実現することができる。また、表示パネルのパネル表面に取り付けられるパネルカバーの一部を利用してエリアカラーパネルを配置することができる。
【００１９】
本発明における移動体の表示モジュールは、上記表示パネルを複数個並べて配置し、該複数個の表示パネルで異なる画像を表示させるように構成したことを要旨とする。これによれば、複数個の表示パネルで異なる画像を表示させる移動体の表示モジュールにおいて、各表示パネルの発光エリアのうち実表示領域以外の領域を有効に利用することができる。
【００２０】
本発明における移動体の表示モジュールは、上記表示パネルを備え、前記表示パネルの発光エリア内の複数の実表示領域で異なる画像を表示させるように構成したことを要旨とする。これによれば、１枚のパネルで異なる画像を表示させる移動体の表示モジュールにおいて、表示パネルの発光エリアのうち実表示領域以外の領域を有効に利用することができる。
【発明を実施するための最良の形態】
【００２１】
以下、本発明を具体化した各実施形態を、図面に基づいて説明する。なお、各実施形態の説明において同様の部位には同一の符号を付して重複した説明を省略する。
（第１実施形態）
第１実施形態に係る表示装置１を図１〜図４に基づいて説明する。
【００２２】
この表示装置１は、移動体として自動車等の車両に搭載されてスピードメータやタコメータ等のメータを画像表示するものである。本実施形態に係る表示装置１は、一例として、自動車等の車両４０のインストルメントパネル４１（図６参照）に搭載されて、スピードメータの画像を表示するようになっている。
【００２３】
表示装置１は、図１に示すように、エレクトロルミネッセンスパネルとしての有機ＥＬパネル２と、この有機ＥＬパネル２の表面（パネル表面３）に取り付けられたパネルカバー２０とを備える。
【００２４】
表示パネルとしての有機ＥＬパネル２は、図２に示すように、エレクトロルミネッセンス素子としての有機ＥＬ素子２２１をそれぞれ有する複数の画素２２０がマトリクス状に配置された発光素子基板１１と、複数の画素２２０を密封するように発光素子基板１１に接合された封止基板１２とを備える。図２では複数の画素２２０のうちの一つのみを示してある。この有機ＥＬパネル２は、複数の画素２２０の各有機ＥＬ素子２２１で発光した光が図３の矢印で示すように、有機ＥＬパネル２のパネル表面３側から出射するボトムエミッションタイプの有機ＥＬパネルである。なお、そのパネル表面３は、発光素子基板１１の表面である。
【００２５】
有機ＥＬパネル２の光出射面であるパネル表面３には、外部入射光がその表面で反射するのを抑制するために図示を省略した円偏光板が貼付けられている。この円偏光板は、有機ＥＬパネル２の発光エリア（アクティブエリア）８のうち、スピードメータを画像表示する実表示領域８ａ全体を覆うように配置されている。その発光エリア８は、図２において符号「８」で示す矩形の領域全体であり、画像表示に用いられる実表示領域８ａと画像表示に使われない実表示領域以外の領域（図１および図２の斜線で示す領域）８ｂとを有する。この発光エリア８の周囲が、いわゆる額縁と呼ばれる非発光エリア９（図２参照）になっている。
【００２６】
有機ＥＬパネル２の発光素子基板１１上には、図３では図示を省略してあるが、陽極として機能する矩形状の画素電極がマトリクス状に形成されており、各画素電極上に、例えば、正孔注入／輸送層と発光層とが順次積層形成され、発光層が形成された基板のほぼ全面に渡って陰極が形成されている。また、各画素電極には、薄膜トランジスタ（ＴＦＴ）等が電気的に接続されており、各画素電極、その上に形成された正孔注入／輸送層、発光層、および陰極により、各画素２２０の有機ＥＬ素子２２１（図２参照）が構成されている。つまり、図２に示す一つの画素の有機ＥＬ素子２２１は、透明な画素電極と、正孔注入／輸送層と、発光層と、共通電極である陰極とで構成されている。さらに、発光素子基板１１上には、複数の電源線、複数の信号線、および複数の制御線を含む複数の配線の端子部（図示省略）が形成されている。
【００２７】
封止基板１２は、例えば透明なガラス基板で作製されている。封止基板１２は、複数の画素２２０全体を密封するように発光素子基板１１に接合されている。また、有機ＥＬパネル２は、発光素子基板１１と封止基板１２との間の空間に収納され、水分を吸収可能な乾燥剤（図示省略）を備えている。
【００２８】
このような有機ＥＬパネル２を有する表示装置１はさらに、図１および図２に示すように、発光素子基板１１に接続される２つフレキシブル配線基板１３，１３を備える。これ
ら２つのフレキシブル配線基板１３の各出力側端子部（図示省略）と、発光素子基板１１の端子部（図示省略）とは、異方性導電膜の接着剤を介して熱圧着することで電気的に接続される。また、各フレキシブル配線基板１３には、データ線駆動回路として構成されたドライバＩＣ１４がそれぞれ実装されている。
【００２９】
これら２つのフレキシブル配線基板１３は、図示を省略した外部の制御回路とそれぞれ電気的に接続され、各種の表示用画像データ、制御信号、電源等の信号がその制御回路から図示を省略した接続ケーブルを介して各フレキシブル配線基板１３に入力されるようになっている。本実施形態では有機ＥＬパネル２の実表示領域８ａでスピードメータの画像を表示させるので、この画像表示に必要な表示用画像データとして、車情報データとしての車速に基づいて作製された画像データが外部の制御回路から供給される。
【００３０】
パネルカバー２０は、有機ＥＬパネル２のパネル表面３に固定される。このパネルカバー２０の中央部には、有機ＥＬパネル２の実表示領域８ａに対応する部分に円形の開口部（貫通孔）２１が設けられている（図１，図３参照）。
【００３１】
そして、本実施形態に係る表示装置１で用いる有機ＥＬパネル２の特徴は、発光エリア８のうち実表示領域以外の領域８ｂに配置された少なくとも一つの発光体を備える点にある。具体的には、有機ＥＬパネル２には、図１および図２に示すように、少なくとも一つの発光体として、３つの発光ダイオード（ＬＥＤ）５１，５２，５４と、エリアカラーパネル５３の４つの発光体が、発光エリア８のうち実表示領域以外の領域８ｂ内に配置されている。
【００３２】
発光ダイオード５１，５２は、図１および図３に示すように、パネル表面３の、実表示領域以外の領域８ｂ内における上部左右に貼り付けられた基板５１ａ，５２ａ上にそれぞれ固定されている。
【００３３】
パネルカバー２０には、発光ダイオード５１，５２からの光をそれぞれ外部へ導く第２の開口部としての開口部２２，２３が設けられている。開口部２２内には発光ダイオード５１が、開口部２３内には発光ダイオード５２がそれぞれ収容されている。また、パネルカバー２０の開口部２２，２３の出口側には、図１に示す矢印形状の光透過部２２ａ，２３ａを有する薄板部２２ｂ，２３ｂ（図３参照）が設けられている。また、図３で符号「５１ｂ」は発光ダイオード５１に電源を供給する配線であり、符号「５２ｂ」は発光ダイオード５２に電源を供給する配線である。
【００３４】
図６に示す操作レバー４２の操作や図示を省略したハザードスイッチの操作により、発光ダイオード５１，５２のいずれか一方或いは両方が点灯或いは点滅するようになっている。発光ダイオード５１，５２の点灯或いは点滅により、図１に示すように左右の方向指示部６１，６２で、発光ダイオード５１，５２により照明されて矢印形状の光透過部２２ａ，２３ａが点灯或いは点滅して見える。
【００３５】
また、発光ダイオード５４は、図１および図４に示すように、パネル表面３の、実表示領域以外の領域８ｂ内における下部右側に貼り付けられた基板５４ａ上に固定されている。パネルカバー２０には、発光ダイオード５４からの光を外部へ導く第２の開口部としての開口部２５が設けられている。この開口部２５内に発光ダイオード５４が収容されている。また、図４で符号「５４ｂ」は、発光ダイオード５４に電源を供給する配線である。この発光ダイオード５４は、操作レバー４２の操作により前照灯をハイビームにすると、図１に示す表示部６４が点灯するようになっている。
【００３６】
そして、エリアカラーパネル５３は、図１および図４に示すように、パネル表面３の、
実表示領域以外の領域８ｂ内における下部左側に固定されている。パネルカバー２０には、エリアカラーパネル５３からの光を外部へ導く第３の開口部としての開口部２４が設けられている。この開口部２４内にエリアカラーパネル５３が収容されている。
【００３７】
このエリアカラーパネル５３は、一例として有機ＥＬパネルで構成され、電源が供給されると固定のパターンをカラー表示するようになっている。このエリアカラーパネル５３は、例えば、図示を省略したイグニッションスイッチをキーシリンダ４３（図６参照）に差し込んで電源オンにした状態或いはエンジンを始動させた状態で、シートベルト（図示省略）が未装着の場合に電源が供給されて発光し、固定のパターンをカラー表示するようになっている。
【００３８】
こうしてエリアカラーパネル５３が固定のパターンをカラー表示すると、図１に示すように表示部６３でシートベルトの未装着を知らせる表示が見える。
以上のように構成された第１実施形態によれば、以下の作用効果を奏する。
【００３９】
○有機ＥＬパネル２の発光エリア８のうち実表示領域以外の領域８ｂ内に、３つの発光ダイオード５１，５２，５４と一つのエリアカラーパネル５３の４つの発光体を配置している。このため、有機ＥＬパネル２の画像表示に使われない領域（未使用部分）を有効に利用して、４つの発光体により、ウィンカ表示をさせたり、各種の警告を知らせるランプの点灯やインジケータの画像表示をさせることができる。
【００４０】
○発光ダイオード５１，５２を実表示領域以外の領域８ｂ内に配置することで、有機ＥＬパネル２の画像表示に使われない領域の有効利用を図りつつ、発光ダイオード５１，５２の点灯或いは点滅により、左右の方向指示部６１，６２で、矢印形状の光透過部２２ａ，２３ａの点灯或いは点滅を表示させることができる。
【００４１】
○発光ダイオード５４を実表示領域以外の領域８ｂ内に配置することで、有機ＥＬパネル２の画像表示に使われない領域の有効利用を図りつつ、発光ダイオード５４の点灯により、前照灯がハイビームに切り替えられたことを表示部６４で表示させることができる。
【００４２】
○エリアカラーパネル５３を実表示領域以外の領域８ｂ内に配置することで、有機ＥＬパネル２の画像表示に使われない領域の有効利用を図りつつ、エリアカラーパネル５３の発光により、表示部６３でシートベルトの未装着を知らせる画像を表示させることができる。
○有機ＥＬパネル２の実表示領域以外の領域８ｂに３つの発光ダイオード５１，５２，５４と一つのエリアカラーパネル５３の４つの発光体を配置すればよいので、表示デザインの変更、例えば発光体の位置や数、発光体による表示態様等の変更に容易に対応することができ、汎用性の高い有機ＥＬパネル２が得られる。
【００４３】
○要求される輝度に応じた発光特性を有する発光ダイオードを選んで有機ＥＬパネル２に配置すればよいので、高輝度での表示要求にも対応できる。したがって、画像表示に使われない領域を有効に利用することができ、汎用性の向上と高輝度での表示を実現することができる。
【００４４】
○エリアカラーパネル５３は、有機ＥＬパネル２の実表示領域以外の領域８ｂ内に配置するだけで良く、有機ＥＬパネル２と同じ発光素子基板１１に作り込む必要がないので、この点でも汎用性の高い有機ＥＬパネル２を実現することができる。
【００４５】
○エリアカラーパネル５３は有機ＥＬパネルで構成されているので、エリアカラーパネル５３により、各種の警告を知らせる固定の表示、例えばシートベルトの未装着を知らせ
る固定の画像を表示させることができる。
【００４６】
○画像表示に使われない領域を有効に利用することができ、汎用性が高く、高輝度での表示が可能な表示装置１を実現することができる。
○表示装置１では、有機ＥＬパネル２のパネル表面３に取り付けられるパネルカバー２０の一部を利用して、３つの発光ダイオードおよび一つのエリアカラーパネルを配置することができる。
【００４７】
（第２実施形態）
第２実施形態に係る移動体の表示モジュール１０を図５〜図７に基づいて説明する。
この移動体の表示モジュール１０は、上記第１実施形態で説明した有機ＥＬパネル２を複数個（本例では３つ）並べて配置し、これらの有機ＥＬパネルで異なる画像を表示させるように構成したものである。
【００４８】
移動体の表示モジュール１０は、図５に示すように、３つの有機ＥＬパネル２ａ，２ｂ，２ｃを備え、一例として、真中の有機ＥＬパネル２ａにより、車速をアナログ表示するスピードメータの目盛り９１、数字９２および指針９３を画像表示する。また、右側の有機ＥＬパネル２ｂによりエンジン回転数をアナログ表示するタコメータの目盛り９４、数字９５および指針９６を画像表示し、左側の有機ＥＬパネル２ｃでカーナビゲーション装置の地図情報等の画像９７を表示する。また、有機ＥＬパネル２ｃでは、テレビの画像やＤＶＤ装置の画像も表示できる。
【００４９】
この移動体の表示モジュール１０で用いた３つの有機ＥＬパネル２ａ，２ｂ，２ｃのうち、有機ＥＬパネル２ａは、上記第１実施形態で説明した有機ＥＬパネル２と同じ構成を有する。すなわち、有機ＥＬパネル２ａでは、発光エリア８は実表示領域８１ａと実表示領域以外の領域（図５の破線で示す領域）８１ｂとを有し、実表示領域以外の領域８１ｂ内に３つの発光ダイオード５１，５２，５４と、一つのエリアカラーパネル５３の４つの発光体を配置してある。
【００５０】
有機ＥＬパネル２ｂ，２ｃは、上記３つの発光ダイオード５１、５２，５４と一つのエリアカラーパネル５３を備えていない点を除き、上記有機ＥＬパネル２と同じ構成を有する。
【００５１】
移動体の表示モジュール１０では、３つの有機ＥＬパネル２ａ，２ｂ，２ｃは、図５に示すように、パネルカバー３０に、真中の有機ＥＬパネル２ａの非発光エリア９と左右の有機ＥＬパネル２ｂ、２ｃの各非発光エリア９が平面的に重なるように配置されている。このパネルカバー３０には、有機ＥＬパネル２ａの実表示領域８１ａで表示されるスピードメータの画像、有機ＥＬパネル２ｂの実表示領域８２ａで表示されるタコメータの画像、および有機ＥＬパネル２ｃの実表示領域８３ａで表示される画像９７にそれぞれ対応する部分に円形の開口部３３，３４および矩形の開口部３５が設けられている。
【００５２】
さらに、このパネルカバー３０には、上記パネルカバー２０と同様に、図５では図示を省略した４つの開口部２２〜２４が設けられている。
なお、この移動体の表示モジュール１０では、車速およびエンジン回転数にそれぞれ基づいて作製されたスピードメータおよびタコメータの各画像を表示させるための表示用画像データが外部の制御回路（図示省略）から供給される。また、カーナビゲーション装置（図示省略）の地図画面の画像９７を表示させるための画像データが外部の制御回路から供給されるようになっている。このような構成を有する移動体の表示モジュール１０を自動車等の車両４０のインストルメントパネル４１に搭載した状態を図６に示してある。また、移動体の表示モジュール１０による表示状態を図７で示してある。
【００５３】
以上のように構成された第２実施形態によれば、上記第１実施形態の奏する作用効果に加えて、以下の作用効果を奏する。
○３つの有機ＥＬパネル２ａ，２ｂ，２ｃで異なる画像を表示させる移動体の表示モジュール１０において、有機ＥＬパネル２ｂの発光エリア８内の実表示領域以外の領域８１ｂを有効に利用することができる。
【００５４】
なお、この発明は以下のように変更して具体化することもできる。
・上記第１実施形態では、電気光学素子として発光素子である有機ＥＬ素子を用いているが、電気光学素子として液晶を用いてもよい。そして，マトリクス状に配置された複数の画素の液晶が駆動されて画像を表示する液晶パネルを用いた電気光学装置としての液晶表示装置にも本発明は適用可能である。
【００５５】
・上記第１実施形態では、表示パネルとして有機ＥＬディスプレイに用いる有機ＥＬパネルを一例として説明したが、放電を用いた蛍光型のプラズマディスプレイに用いる表示パネル、電子放出素子を用いたディスプレイ（ＦＥＤ）やＳＥＤ（Surface−Conduction
Electron−Emitter  Display）に用いる表示パネルにも本発明は適用可能で、上記各実施形態と同様の効果を得ることができる。
【００５６】
・上記第１実施形態では、有機ＥＬパネル２の実表示領域以外の領域８ｂ内に４つの発光体を配置した構成を一例として説明したが、本発明はこの構成に限定されない。本発明は、複数の発光体を、実表示領域以外の領域８ｂと非発光エリア９の少なくとも一方に配置する構成にも適用可能である。
【００５７】
・上記第１実施形態では、有機ＥＬパネル２の実表示領域以外の領域８ｂ内に４つの発光体を配置した構成を一例として説明したが、本発明はこの構成に限定されない。その実表示領域以外の領域８ｂ内に配置する発光体の種類や数を適宜変更した構成にも本発明は適用可能である。
【００５８】
・上記第２実施形態では、３つの有機ＥＬパネル２ａ，２ｂ，２ｃのうち有機ＥＬパネル２ａの実表示領域以外の領域８１ｂ内にのみ４つの発光体を配置したが、本発明はこれに限定されない。本発明は、有機ＥＬパネル２ｂの発光エリア８のうち実表示領域以外の領域８２ｂ内と、有機ＥＬパネル２ｃの発光エリア８のうち実表示領域以外の領域８３ｂ内のいずれか一方或いは両方に、少なくとも一つの発光体を配置した構成にも適用される。
【００５９】
・上記各実施形態では、エレクトロルミネッセンス素子として有機ＥＬ素子２２１を用いた有機ＥＬパネルについて説明したが、無機ＥＬ素子を用いた無機ＥＬパネル、これを用いた表示装置や移動体の表示モジュールにも適用可能である。
【００６０】
・上記各実施形態では、自動車等の車両に搭載される表示装置１や移動体の表示モジュール１０を一例として説明したが、本発明は、自動車等の車両以外に、航空機、船舶、電車等の移動体のインストルメントパネルや計器盤に搭載して、各種のメータ等の計器を画像表示するのに広く適用可能である。
【００６１】
・上記第２実施形態では、異なる画像を表示する複数（本例では一例として３つ）の有機ＥＬパネル２ａ，２ｂ，２ｃを備えた移動体の表示モジュール１０を一例として説明したが、本発明はこのような移動体の表示モジュールに限定されない。本発明は、有機ＥＬパネル２の発光エリア８内の複数の実表示領域（例えば３つの実表示領域）で異なる画像を表示させる（マルチ表示させる）ように構成した移動体の表示モジュールにおいても、
発光エリア８内の実表示領域以外の領域或いは非発光エリアの少なくとも一方に１個或いは複数個のセンサを配置する構成にも適用可能である。
【００６２】
・上記各実施形態では、発光素子基板側から光が出射するボトムエミッションタイプの有機ＥＬパネルについて一例として説明したが、本発明は、封止部材側から光が出射するトップエミッションタイプの有機ＥＬパネル、およびこれを用いた表示装置や移動体の表示モジュールにも適用可能である。
【００６３】
・上記第２実施形態に係る移動体の表示モジュール１０では、有機ＥＬパネルの数を「３」としているが、その数は一例であって、本発明は「３」以外の複数の有機ＥＬパネルを用いた移動体の表示モジュールに適用可能である。
【００６４】
・上記第２実施形態に係る移動体の表示モジュール１０では、同じ大きさの３つの有機ＥＬパネル２ａ，２ｂ，２ｃを用いているが、大きさの異なる複数の有機ＥＬパネルを用いた移動体の表示モジュールにも本発明は適用可能である。例えば、自動車等の車両に実装し、３つの有機ＥＬパネルのうち真中のパネルでスピードメータを表示する場合には、スピードメータの視認性を向上させるために、真中のパネルを大きくして上に位置させ、左右のパネルを小さくして真中のパネルよりも下げるのが好ましい。
【図面の簡単な説明】
【００６５】
【図１】第１実施形態に係る表示装置を示す平面図。
【図２】同表示装置の表示パネルを示す平面図。
【図３】図１のＡ−Ａ線に沿った断面図。
【図４】図１のＢ−Ｂ線に沿った断面図。
【図５】第２実施形態に係る移動体の表示モジュールを示す平面図。
【図６】同表示モジュールが搭載された車両内部を示す斜視図。
【図７】同表示モジュールによる表示状態を示す平面図。
【符号の説明】
【００６６】
１…表示装置、３…パネル表面、８…発光エリア、８ａ，８１ａ，８２ａ，８３ａ…実表示領域、８ｂ，８１ｂ，８２ｂ，８３ｂ…実表示領域以外の領域、９…非発光エリア、２０，３０…パネルカバー、５１，５２，５４…発光ダイオード、５３…エリアカラーパネル、９７…画像、２２０…画素。
【図１】
2006267557.tif 000003
【図２】
2006267557.tif 000004
【図３】
2006267557.tif 000005
【図４】
2006267557.tif 000006
【図５】
2006267557.tif 000007
【図６】
2006267557.tif 000008
【図７】
2006267557.tif 000009